(57)【要約】【課題】センターミラー７の手前に位置する使用者Ｈに眩しくなく且つ十分に照明できるようにする。【解決手段】サイドミラー８，９の各々に、ミラー本体１１に銀膜の無い透光部１１ｂが形成されると共に、ミラー本体１１の裏面側に透光部１１ｂを通じてミラー表面１１ａへ向かって照射する照明装置１０が配設され、各サイドミラーの透光部１１ｂは、センターミラー側と反対側の縁付近に形成され、照明装置１０は、透光部１１ｂを通じてミラー表面１１ａへ向かって照射する面状発光部１３を備え、面状発光部１３の照射量についてミラー表面１１ａに垂直な前方の方向へ向かう量に比べてサイドミラーの中央前方寄りへ向かう量を多くしたこと。【選択図】図１
2011015892.tif 000002
【特許請求の範囲】
【請求項１】
センターミラーの両側にサイドミラーがセンターミラー側の端部を中心として水平回動自在に設けられて形成され、サイドミラーの各々に、ミラー本体に銀膜の無い透光部が形成されると共に、ミラー本体の裏面側に透光部を通じてミラー表面へ向かって照射する照明装置が配設された照明付きミラーキャビネットにおいて、
前記各サイドミラーの透光部は、センターミラー側と反対側の縁付近に形成され、
前記照明装置は、透光部を通じてミラー表面へ向かって照射する発光部と、ミラー表面と発光部の発光面との交差角度を調節する角度調節具とを備え、角度調節具で発光部の角度を調節することで、発光部の照射量についてミラー表面に垂直な前方の方向へ向かう量に比べてサイドミラーの中央前方寄りへ向かう量を多くなるように調節できるようにした
ことを特徴とする照明付きミラーキャビネット。
【請求項２】
前記照明装置が、前記角度調節具に設けた角度調節用アクチュエータと、サイドミラー手前に位置する使用者を検出する検出装置と、発光部の照射方向が検出装置の検出した使用者へ向かうように角度調節用アクチュエータを制御する制御回路とを備えた請求項１記載の照明付きミラーキャビネット。
【請求項３】
センターミラーの両側にサイドミラーがセンターミラー側の端部を中心として水平回動自在に設けられて形成され、サイドミラーの各々に、ミラー本体に銀膜の無い透光部が形成されると共に、ミラー本体の裏面側に透光部を通じてミラー表面へ向かって照射する照明装置が配設された照明付きミラーキャビネットにおいて、
前記各サイドミラーの透光部は、センターミラー側と反対側の縁付近に形成され、
前記照明装置は、透光部を通じてミラー表面へ向かって照射する発光部を備え、発光部の照射量についてミラー表面に垂直な前方の方向へ向かう量に比べてサイドミラーの中央前方寄りへ向かう量を多くした
ことを特徴とする照明付きミラーキャビネット。
【発明の詳細な説明】
【技術分野】
【０００１】
本発明は、三面鏡タイプのミラーキャビネットのミラーの一部から使用者側へ向かって照明するようにした照明付きミラーキャビネットに関するものである。
【背景技術】
【０００２】
従来、三面鏡タイプのミラーキャビネットには、センターミラーの左右両側にサイドミラーをセンターミラー側の端部を中心として水平回動自在に設けて形成し、センターミラー又は左右両側のサイドミラーにおける両ミラー境界側の縁付近に、ミラー本体に銀膜の無い透光部が形成されると共に、ミラー本体の裏面側に透光部を通じてミラー表面へ向かって照射する照明灯が配設されたものがある（特許文献１）。
【先行技術文献】
【特許文献】
【０００３】
【特許文献１】特開平７−８３４２号公報
【発明の概要】
【発明が解決しようとする課題】
【０００４】
ところで、前記ミラーキャビネットは、センターミラーからサイドミラーに股かって三面鏡を使用するために両ミラー境界を通過するように見るときに、照明を直視して眩しくなり、見ずらくなることがある。この問題を解決するために、各サイドミラーにおけるセンターミラー側と反対側の縁付近から照明することが考えられる。
【０００５】
この場合、各サイドミラーのセンターミラー側と反対側の縁付近からミラー表面に垂直な方向へ向かって照射するのでは、センターミラーの手前に位置する使用者を十分に照明できない問題が生じることになる。
【０００６】
本発明は、前記両方の問題を解決することができる照明付きミラーキャビネットの提供を目的とする。
【課題を解決するための手段】
【０００７】
センターミラーの手前に位置する使用者の使用状況に応じて眩しくなく且つ十分に照明できるようにするために請求項１記載の本発明が採用した手段は、センターミラーの両側にサイドミラーがセンターミラー側の端部を中心として水平回動自在に設けられて形成され、サイドミラーの各々に、ミラー本体に銀膜の無い透光部が形成されると共に、ミラー本体の裏面側に透光部を通じてミラー表面へ向かって照射する照明装置が配設された照明付きミラーキャビネットにおいて、前記各サイドミラーの透光部は、センターミラー側と反対側の縁付近に形成され、前記照明装置は、透光部を通じてミラー表面へ向かって照射する発光部と、ミラー表面と発光部の発光面との交差角度を調節する角度調節具とを備え、角度調節具で発光部の角度を調節することで、発光部の照射量についてミラー表面に垂直な前方の方向へ向かう量に比べてサイドミラーの中央前方寄りへ向かう量を多くなるように調節できるようにしたことを特徴とする照明付きミラーキャビネットである。
【０００８】
使用者の位置に応じて使用者へ確実に照射できるようにするために請求項２記載の本発明が採用した手段は、前記照明装置が、前記角度調節具に設けた角度調節用アクチュエータと、サイドミラー手前に位置する使用者を検出する検出装置と、発光部の照射方向が検出装置の検出した使用者へ向かうように角度調節用アクチュエータを制御する制御回路とを備えた請求項１記載の照明付きミラーキャビネットである。
【０００９】
センターミラーの手前に位置する使用者に眩しくなく且つ十分に照明できるようにするために請求項３記載の本発明が採用した手段は、センターミラーの両側にサイドミラーがセンターミラー側の端部を中心として水平回動自在に設けられて形成され、サイドミラーの各々に、ミラー本体に銀膜の無い透光部が形成されると共に、ミラー本体の裏面側に透光部を通じてミラー表面へ向かって照射する照明装置が配設された照明付きミラーキャビネットにおいて、前記各サイドミラーの透光部は、センターミラー側と反対側の縁付近に形成され、前記照明装置は、透光部を通じてミラー表面へ向かって照射する発光部を備え、発光部の照射量についてミラー表面に垂直な前方の方向へ向かう量に比べてサイドミラーの中央前方寄りへ向かう量を多くしたことを特徴とする照明付きミラーキャビネットである。
【発明の効果】
【００１０】
請求項１記載の本発明に係る照明付きミラーキャビネットは、各サイドミラーにおけるセンターミラー側と反対側の縁付近から照明するため、センターミラーからサイドミラーに股かって三面鏡を使用するときに両ミラー境界を跨ぐように見渡しても従来のような照明がないため眩しくなく、また、サイドミラーの中央前方寄りへ向かう（すなわち、使用者へ向かう）照射量がミラー表面に垂直な方向へ向かう照射量に比べて多くなるように調節できることから、三面鏡の手前に位置する使用者を十分に照明することが可能となる。  また、本発明に係る照明付きミラーキャビネットは、三面鏡の手前に位置する使用者の使用の態様（例えば、センターミラーに顔を接近させる態様、又はセンターミラーから顔を離反させる態様）に応じて、発光部の照射角度を角度調節具で調節することにより、使用者へ向かう照射量を多くして使用者を十分に照らすことが可能となる。
【００１１】
請求項２記載の本発明に係る照明付きミラーキャビネットは、発光部の照射方向を使用者位置に応じて自動的に調節して、使用者へ確実に照射することができる。
【００１２】
請求項３記載の本発明に係る照明付きミラーキャビネットは、各サイドミラーにおけるセンターミラー側と反対側の縁付近から照明するため、センターミラーからサイドミラーに股かって三面鏡を使用するときに両ミラー境界を跨ぐように見渡しても従来のような照明がないため眩しくなく、また、サイドミラーの中央前方寄りへ向かう照射量がミラー表面に垂直な方向へ向かう照射量に比べて多いことから、三面鏡の手前に位置する使用者を眩しくなく十分に照明することが可能となる。
【図面の簡単な説明】
【００１３】
【図１】本発明の第１の実施の形態に係る照明付きミラーキャビネット１を備えた洗面化粧台２の全体を示す斜視図である。
【図２】前記洗面化粧台２と使用者Ｈを示す右側面図である。
【図３】図（Ａ）は図１のａ−ａ線で断面し且つ中間省略した右側断面図、図（Ｂ）は右側のサイドミラー９の構成部材を分解して示す中間省略した右側断面図である。
【図４】図（Ａ）は図３（Ａ）のａ−ａ線で断面した右側のサイドミラー９の平面断面図、図（Ｂ）は図３（Ａ）のｂ−ｂ線で断面した右側のサイドミラー９の平面断面図である。
【図５】洗面化粧台２の使用状況を示す平面図であって、図（Ａ）は左右のサイドミラー８，９を閉じた状態を示し、図（Ｂ）は左右のサイドミラー８，９を開いた状態を示すものである。
【図６】本発明の第２の実施の形態に係る照明付きミラーキャビネット２１を備えた洗面化粧台の使用状況を示す平面図であって、図（Ａ）は図５（Ｂ）に比べて使用者Ｈがミラーキャビネット２１に接近した使用の態様を示し、図（Ｂ）は図５（Ｂ）に比べて使用者Ｈがミラーキャビネット２１から離反した使用の態様を示すものである。
【図７】第２の実施の形態に係る照明付きミラーキャビネット２１に備えた右側のサイドミラー９の照明装置１０の近辺を示す平面断面図であって、図（Ａ）は発光部１３の一方側（左側）を前後方向へ移動できるタイプを示し、図（Ｂ）は発光部１３の左右両側を個別に前後方向へ移動できるタイプを示すものである。
【図８】本発明の第３の実施の形態に係る照明付きミラーキャビネット３１に備えた右側サイドミラー９を示す中間省略した平面断面図である。
【図９】第１の実施の形態に係る照明付きミラーキャビネット１のセンターミラー７の上方寄りに備えた照明装置４０の近辺を示す右側断面図であって、図（Ａ）は照明装置４０の発光部４３を固定したタイプを示し、図（Ｂ）は照明装置４０の発光部４３の照射角度δを調節できるタイプを示すものである。
【発明を実施するための形態】
【００１４】
本発明に係る照明付きミラーキャビネット（以下、「本発明ミラーキャビネット」と言う。）を図面に示す実施の形態に基づいて説明する。
【００１５】
（第１の実施の形態）
図１乃至図５は第１の実施の形態に係る本発明ミラーキャビネット１を示すものであって、本発明ミラーキャビネット１は、図１及び図２に示す如く、洗面器４及び水栓５を備えた洗面キャビネット３の上方に設置されて洗面化粧台２を構成している。本発明ミラーキャビネット１は、内側に収納空間６ａ（図２参照）を形成したキャビネット本体６と、キャビネット本体６に設けられて収納空間６ａの手前開口部を開閉するセンターミラー７及び左右のサイドミラー８，９とを備え、センターミラー７が左右いずれか一方の端部を中心として水平回動自在に設けらると共に、左右のサイドミラー８，９がセンターミラー側の端部を中心として水平回動自在（図５参照）に設けられている。なお、センターミラー７は、開閉タイプとすることなく、キャビネット本体６に固定する固定タイプとすることもある（図示略）。
【００１６】
左右のサイドミラー８，９の各々は、センターミラー側と反対側の縁付近８ａ（９ａ）からサイドミラー手前側へ向かって照射する照明装置１０を備えている。右側のサイドミラー９は、図３に示す如く、手前側のミラー本体１１と、裏面側の基板１２と、ミラー本体１１と基板１２の間に配置した面状の発光部１３及びスペーサ１４と、上下の結合具１５，１５とを備え、面状の発光部１３及びスペーサ１４を挟んで重ね合わせたミラー本体１１及び基板１２の上下縁部に、各結合具１５のコ字状外嵌部１５ａを外嵌装着してこれら構成部材が分離しないように一体化してある。各結合具１５は、水平回動自在に支持するためのヒンジ部１５ｂがコ字状外嵌部１５ａと一体に設けられ、ヒンジ部１５ｂの接合片をキャビネット本体６に接合することで、サイドミラー９を回動自在に支持するようにしてある。
【００１７】
前記右側のサイドミラー９は、図３及び図４（Ａ）に示す如く、右側の縁付近９ａに対応するミラー本体１１の箇所に銀膜の無い透光部１１ｂが縦長に形成されると共に、ミラー本体１１の裏面側に配置した面状の発光部１３から透光部１１ｂを通じてミラー表面１１ａへ向かって照射するようにしてある。照明装置１０を構成する面状の発光部１３は、図５及び図４（Ａ）に示す如く、その照射量についてミラー表面１１ａに垂直な前方の方向（ミラー表面１１ａに垂直な垂直線Ｖに沿った前向き方向）へ向かう量に比べてサイドミラー９の中央前方寄りへ向かう（すなわち、ミラー表面１１ａの左右二等分位置から前方へ延びる垂直線Ｖａに近づくように向かう）水平な矢符Ｇ方向の量を５０〜１００％程度増量するようにしてある。なお、左側のサイドミラー８は、上記右側のサイドミラー９と左右対称に構成され、図５に示す如く、その照射量についてミラー表面１１ａに垂直な前方の方向へ向かう量に比べてサイドミラー９の中央前方寄りへ向かう水平な矢符Ｇ方向の量を増量するようにしてある。
【００１８】
水平な前記矢符Ｇ方向とミラー表面１１ａの垂直線Ｖとの交差角αについては、図５（Ｂ）に示す公称幅７５０ｍｍの本発明ミラーキャビネット１において、左右のサイドミラー８，９の幅寸法Ａ（例えば、Ａ＝２００ｍｍ）、センターミラー７の幅寸法Ｂ（例えば、Ｂ＝３３０ｍｍ）、閉じた状態のセンターミラー７とサイドミラー８（９）との間隙寸法Ｃ（例えば、Ｃ＝１０ｍｍ）、サイドミラー８（９）を構成するミラー本体１１に設けた透孔部１１ｂの幅寸法Ｄ（例えば、Ｄ＝２０ｍｍ）、サイドミラー８（９）におけるミラー表面１１ａの幅二等分位置から透孔部１１ｂの幅二等分位置までの寸法Ｅ（例えば、Ｅ＝８０ｍｍ）のときに、サイドミラー８（９）のミラー本体１１の幅二等分位置から使用者Ｈの顔までの距離Ｆを標準的なＦ＝４５０ｍｍとすると、ｔａｎα＝Ｅ／Ｆ＝８／４５となる。
【００１９】
前記面状の発光部１３は、図２及び図３に示す如く、前記ミラー本体１１の透光部１１ｂへ向かって前方へ発光する上半部１３Ａと、キャビネット本体６の収納空間６ａへ向かって後方へ発光する下半部１３Ｂとからなる。面状の発光部１３は、図４（図（Ａ）は上半部１３Ａの平面断面図、図（Ｂ）は下半部１３Ｂの平面断面図）に示す如く、発光板１７と、その小口面１７ａに取着した発光ダイオード（ＬＥＤ）からなる光源１８とから成り、ミラー本体１１と基板１２とで挟圧保持されたスペーサ１４で囲まれてミラー本体１１と基板１２の間で移動しないように配置されている。発光板１７は、光透過層Ｔから構成され、上半部１３Ａでは、ミラー本体１１の透光部１１ｂへ光を照射するように、後方の表面側に光反射層Ｒが設けられ、前方の表面側を発光面Ｓとし、逆に、下半部１３Ｂでは、キャビネット本体６の収納空間６ａへ向かって光を照射するように、前方の表面側に光反射層Ｒが設けられ、後方の表面側を発光面Ｓとしてある。光透過層Ｔは、アクリル樹脂や強化ガラス等の透明で屈折率が高く比較的硬質な材質で製作される。光反射層Ｒは、例えば銀鏡膜で被覆したり白色塗料を所定のパターンで光透過層Ｔに塗着して形成されたもの、または、光透過層Ｔと別体のプリズムシートを光透過層Ｔに貼り合わせて形成されたもの等からなる。発光板１７は、光源１８の光が小口面１７ａから導入されると、光透過層Ｔの中を全反射しながら進んでいくうちに、光反射層Ｒに当たって向きを変え、全反射角より小さくなった成分の光が発光面Ｓから出て発光することになる。
【００２０】
前記面状の発光部１３の上半部１３Ａは、図４（Ａ）に示す如く、前側の発光面Ｓからミラー本体１１の透光部１１ｂへ向かう光の照射量について、前記の如くミラー表面１１ａに垂直な方向（垂直線Ｖに沿う方向）へ向かう量に比べてサイドミラー９の中央前方寄りへ向かう水平な矢符Ｇ方向の量を多くできるように光反射層Ｒを形成してある。面状の発光部１３の上半部１３Ａは、発光板１７の発光面Ｓをミラー本体１１のミラー表面１１ａと略平行となるようにしてある。上半部１３Ａを分担する光源１８は、複数個からなるＬＥＤの総ワット数が２．０〜４．０ワット（好ましくは、３．０ワット）程度としてある。前記面状の発光部１３の下半部１３Ｂは、図３（Ａ）及び図４（Ｂ）に示す如く、後側の発光面Ｓから出た光が、基板１２の開口部１２ａを通じてキャビネット本体６の収納空間６ａへ向かった後に、右側のサイドミラー９とキャビネット本体６の下端仕切壁６ｂとの間の隙間部６ｃから本発明ミラーキャビネット１の下方へ出て洗面キャビネット３の奥側を照明するようにしてある。下半部１３Ｂを分担する光源１８は、複数個からなるＬＥＤの総ワット数が１．０〜２．０ワット（好ましくは、１．５ワット）程度としてある。なお、キャビネット本体６は、隙間部６ｃを設けることなく、下端仕切壁６ｂを透明又は半透明な光透過素材で成形し、洗面キャビネット３の奥側を照明するようにしてもよい。
【００２１】
前記面状の発光部１３は、発光板１７の小口面１７ａと光源１８の発光ダイオード（ＬＥＤ）との間に配置したカラーフイルターで発光面Ｓから出る光のスペクトル分布を調整して、ミラー本体１１の鏡面に色がでないようにすることもある。
【００２２】
前記照明装置１０は、左右のサイドミラー８，９の各々に備えた面状の発光部１３，１３と、各面状の発光部１３の光源１８へ給電する配線（図示略）とを備え、配線に備えたスイッチ（図示略）で左右の光源１８をＯＮ／ＯＦＦするようにしてある。スイッチは、各面状の発光部１３の上半部１３Ａ及び下半部１３Ｂに備えた光源１８を一括又は個別にＯＮ／ＯＦＦできるように回路構成してある。
【００２３】
本実施の形態に係る本発明ミラーキャビネット１は、各サイドミラー８，９におけるセンターミラー側と反対側の縁付近から照明するため、センターミラー７からサイドミラー８，９に股かって三面鏡を使用するときに両ミラー境界を跨ぐように見渡しても、センターミラーとサイドミラーの境界近辺に設けた従来の照明がないため眩しくなく、また、サイドミラー８，９の中央前方寄りへ向かう矢符Ｇ方向の照射量がミラー表面１１ａに垂直な前方の方向へ向かう照射量に比べて多いことから、センターミラー７の手前に位置する使用者Ｈを眩しくなく十分に照明することが可能となる。
【００２４】
前記左右のサイドミラー８，９の各々に備えた発光部１３は、面状の発光板１７と発光ダイオード（ＬＥＤ）からなる光源１８とを組み合わせて構成する以外に、図示は省略したが、配置基板上に発光ダイオード（ＬＥＤ）からなる光源１８の複数個を配置して構成すること、又は直管状の蛍光灯と反射板とを組み合わせて構成することも可能である。
【００２５】
（第２の実施の形態）
使用者は、第１の実施の形態の図５（Ｂ）に示すように、センターミラー７の手前の標準的な位置に立って使用する以外に、ミラーキャビネットに顔を接近又は離反させて使用する態様にすることもある。照明付きミラーキャビネットは、この接近又は離反させた使用の態様のときにも、サイドミラー８，９の照射量が多くなる矢符Ｇ方向を使用者の顔へ向けることにより、顔を十分に照明して顔の鏡写りをよくすることができるようになる。そこで、第２の実施の形態に係る本発明ミラーキャビネット２１は、例えば、図５（Ｂ）に比べて使用者がセンターミラーに接近して図６（Ａ）に示す如く、サイドミラー８，９のミラー本体１１の幅二等分位置から使用者Ｈの顔までの距離ＦがＦ＝３５０ｍｍとなるときに、矢符Ｇ方向を使用者の顔へ向けるｔａｎα＝Ｅ／Ｆ＝８／３５とすることができるようにし、また、図５（Ｂ）に比べて使用者がミラーキャビネットから離れて図６（Ｂ）に示す如く、距離ＦがＦ＝５００ｍｍとなるときに、矢符Ｇ方向を使用者の顔へ向けるｔａｎα＝Ｅ／Ｆ＝８／５０とすることができるようにしてある。
【００２６】
本発明ミラーキャビネット２１は、センターミラー７に接近又は離反させて位置する使用者Ｈの各使用の態様に対処できるように、図７に示す如く、サイドミラー８，９の照明装置１０に、ミラー表面１１ａと面状の発光部１３の発光面Ｓとの交差角度β（図７（Ａ）はミラー表面１１ａと平行な仮想面Ｑと発光面Ｓの交差角度βを示している）を調節する角度調節具２２を備え、面状の発光部１３の照射量が多くなる水平な矢符Ｇ方向とミラー表面１１ａに垂直な垂直線Ｖとの交差角度αを角度調節具２２で調節できるようにしたことに特徴がある。本発明ミラーキャビネット２１のこの特徴以外の構成にいては、第１の実施の形態に係る本発明ミラーキャビネット１（図１〜図５）と実質的に同一であるため、ここでの説明を省略する。右側のサイドミラー９に備えた角度調節具２２は、図７（Ａ）に示す如く、面状の発光部の一方側（左側）を前後方向へ移動できるタイプと、図７図（Ｂ）に示す如く、面状の発光部の両側を個別に前後方向へ移動できるタイプとがある。左側のサイドミラー８は、その詳細図面を省略したが、図７（Ａ）（Ｂ）に示す右側のサイドミラー９と左右対称に角度調節具２２が構成されることになる。
【００２７】
図７（Ａ）に示す角度調節具２２は、面状の発光部１３を取着した取付板２３と、面状の発光部１３の発光面Ｓに隙間を開けて覆うように取付板２３に取着した透明な保護板２４と、取付板２３の右端部を基板１２に揺動自在に連結する蝶番２５と、取付板２３の左端部と基板１２との間に設けられて取付板２３の左端部とミラー表面１１ａとの距離を調節する調節機構２６と、取付板２３の左端部とミラー表面１１ａとの距離を拡大する方向へ取付板２３へ付勢するバネ２７とを備えている。調節機構２６は、取付板２３の挿通孔２３ａを挿通する雄ネジ部２６ａと、基板１２に連結固定した雌ネジ部２６ｂとからなるネジ機構となっており、雌ネジ部２６ｂに螺合させた雄ネジ部２６ａを進退させることで、ミラー表面１１ａと面状の発光部１３の発光面Ｓとの交差角度βを調節できるようにしてある。調節機構２６は、この交差角度βを調節することで、面状の発光部１３の照射量が増量する矢符Ｇ方向とミラー表面１１ａに垂直な垂直線Ｖとの交差角度αも調節することになる。
【００２８】
図７（Ｂ）に示す角度調節具２２は、面状の発光部１３を取着した取付板２３と、面状の発光部１３の発光面Ｓに隙間を開けて覆うようにして取付板２３に取着した透明な保護板２４と、取付板２３の左右端部の各々と基板１２との間に設けられて左右端部とミラー表面１１ａとの距離を個別に調節する調節機構２８の二組とを備えている。各組の調節機構２８は、基板１２に連結固定した雄ネジ部２８ａと、取付板２３の挿通孔２３ａに回転自在に取着して取付板２３と一体化すると共に雄ネジ部２８ａを螺着させた雌ネジ部２８ｂとからなるネジ機構となっており、雌ネジ部２８ｂを正逆回転させてミラー表面１１ａと面状の発光部１３の発光面Ｓとの交差角度と、面状の発光部１３の照射量が増量する矢符Ｇ方向とミラー表面１１ａに垂直な垂直線Ｖとの交差角度αとを調節できるようにしてある。
【００２９】
前記角度調節具２２の調節は、基板１２に設けた開口部１２ｂを介して雄ネジ部２６ａの頭部（図７（Ａ）のタイプ）若しく雌ネジ部２８ｂ（図７（Ｂ）のタイプ）を工具を用いる等して捩じる手動の操作で行うか、図示は省略したが、雄ネジ部２６ａ若しく雌ネジ部２８ｂに連結したサーボモータ等からなるアクチュエータを手動で遠隔操作して雄ネジ部２５ａ若しく雌ネジ部２８ｂを回動させて行うようにする。
【００３０】
本発明ミラーキャビネット２１は、第１の実施の形態に係る本発明ミラーキャビネット１と同様に、各サイドミラー８，９におけるセンターミラー側と反対側の縁付近から照明するため、センターミラー７からサイドミラー８，９に股かって見渡しても、センターミラーとサイドミラーの境界近辺に設けた従来の照明がないため眩しくなく、また、サイドミラー８，９の中央前方寄りへ向かう矢符Ｇ方向の照射量がミラー表面１１ａに垂直な前方の方向へ向かう照射量に比べて多いことから、センターミラー７の手前に位置する使用者Ｈを眩しくなく十分に照明することが可能となる。本発明ミラーキャビネット２１は、センターミラー７の手前に位置する使用者の使用の態様（例えば、センターミラーに顔を接近させる態様（図６（Ａ）参照）、又はセンターミラーから顔を離反させる態様（図６（Ｂ）参照））に応じて、面状の発光部１３の照射量が多くなる水平な矢符Ｇ方向とミラー表面１１ａに垂直な垂直線Ｖとの交差角度αを角度調節具２２で面状の発光部１３の照射角度αを調節することで、使用者Ｈの注目箇所（例えば、顔）を十分に照らすことが可能となる。
【００３１】
（第３の実施の形態）
第３の実施の形態に係る本発明ミラーキャビネット３１は、図８に示す如く、使用者（図示略）の位置に応じて、面状の発光部１３の照射量が多くなる水平な矢符Ｇ方向とミラー表面１１ａに垂直な垂直線Ｖとの交差角度αを角度調節具２２で自動調節して、使用者へ確実に照射できるようしたものであり、角度調節具２２で自動調節する以外の構成については、手動で操作する角度調節具２２を備えた図７に示す第２の実施の形態に係る本発明ミラーキャビネット２１と実質的に同一であるため、ここでの説明を省略する。
【００３２】
右側のサイドミラー９の照明装置１０は、角度調節具２２に連結した角度調節用アクチュエータ３２と、センターミラー７手前に位置する使用者（図２，図５参照）を検出する使用者検出装置３３と、発光部１３の照射角度（ミラー表面１１ａに垂直な垂直線Ｖと矢符Ｇ方向との交差角度α）を検出する照射角度検出装置３４と、発光部１３の照射方向（前記矢符Ｇ方向）を使用者検出装置３３の検出した使用者位置へ向くように角度調節用アクチュエータ３２を制御する制御回路３５とを備えている。角度調節用アクチュエータ３２は、角度調節具２２の雄ネジ部２６ａの頭部（図７（Ａ）のタイプ）若しく雌ネジ部２８ｂ（図７（Ｂ）のタイプ）を回動させるサーボモータ等で構成されている。使用者検出装置３３は、サイドミラー９のミラー本体１１と基板１２との間に固定配置され、ミラー本体１１の銀膜１１ｃの無い透光部１１ｄを介して使用者を臨み、使用者検出装置３３の位置から使用者に至る距離及び方向を検出するようにしてあり、ドップラー式センサー，マイクロ波センサー，ミリ波センサー等の電波式センサーを採用することができる。照射角度検出装置３４は、角度調節具２２の雄ネジ部２６ａの頭部（図７（Ａ）のタイプ）若しく雌ネジ部２８ｂ（図７（Ｂ）のタイプ）の回転角度を検出する回転角度検出装置等からなる。制御回路３５は、使用者検出装置３３と面状の発光部１３の位置関係と、使用者検出装置３３の位置から使用者に至る距離及び方向の検出データとから、面状の発光部１３の照射方向（前記矢符Ｇ方向）を使用者位置へ向かせるに必要な交差角度αの目標値を求め、この目標値と照射角度検出装置３４で求めた調節前の交差角度αとの偏差を無くすように角度調節用アクチュエータ３２へ指令信号を出力するように回路構成してある。指令信号を受けた角度調節用アクチュエータ３２は、面状の発光部１３の照射方向（前記矢符Ｇ方向）を使用者位置へ向くように面状の発光部１３の角度を調節する。なお、左側のサイドミラー８の照明装置は、その詳細図面を省略したが、図８に示す右側のサイドミラー９の照明装置１０と左右対称に構成されることになる。
【００３３】
本発明ミラーキャビネット３１は、面状の発光部１３の照射方向（矢符Ｇ方向）を使用者位置に応じて自動的に調節して、使用者へ確実に照射することができる。なお、本発明ミラーキャビネット３１は、使用者の顔の位置を検出するタイプの使用者検出装置３３を採用すると、面状の発光部１３の照射方向（前記矢符Ｇ方向）を使用者Ｈの顔に向けるようにすることができ、化粧等で注目すべき顔を十分に照明して顔の鏡写りをよくすることが可能となる。
【００３４】
（その他の実施の形態）
前記第１の実施の形態に係る本発明ミラーキャビネット１は、図１に示す如く、センターミラー７の上方縁付近７ａからセンターミラー手前側へ向かって照射する照明装置４０を備えている。センターミラー７は、図９（Ａ）に示す如く、上側の縁付近７ａに対応するミラー本体４１の箇所に銀膜の無い透光部４１ｂが横長に形成されると共に、ミラー本体４１の裏面側に配置した面状の発光部４３から透光部４１ｂを通じてミラー表面４１ａへ向かって照射するようにしてある。照明装置４０を構成する面状の発光部４３は、その照射量についてミラー表面４１ａに垂直な前方の方向（ミラー表面４１ａに垂直な垂直線Ｗに沿った前向きの方向）へ向かう量に比べてセンターミラー７の中央前方寄りへ向かう（すなわち、ミラー表面４１ａの上下二等分位置から前方へ延びる垂直線Ｗａ（図１参照）に近づくように向かう）斜め下方となる矢符Ｋ方向の量を５０〜１００％程度増量するようにして、センターミラー７の手前に位置する使用者を十分に照明できるようにしてある。
【００３５】
前記面状の発光部４３は、前記面状の発光部１３と同様に、発光板１７と、その小口面１７ａに取着した発光ダイオード（ＬＥＤ）からなる光源１８とから成り、ミラー本体４１と基板４２とで挟圧保持されたスペーサ１４で囲まれてミラー本体４１と基板４２の間で移動しないように配置されている。発光板１７は、光透過層Ｔから構成され、ミラー本体４１の透光部４１ｂへ光を照射するように、後方の表面側に光反射層Ｒが設けられ、前方の表面側を発光面Ｓとしてある。光透過層Ｔ及び光反射層Ｒは、前記第１の実施の形態と実質的に同一であるので、ここでの説明を省略する。
【００３６】
また、前記面状の発光部４３は、図９（Ｂ）に示す如く、角度調節具２２を備えることで上端側を揺動中心として下端側を前後方向へ移動できるタイプとすることも可能である。角度調節具２２は、図７（Ａ）に示すものと同様に、面状の発光部４３を取着した取付板２３と、面状の発光部４３の発光面Ｓに隙間を開けて覆うように取付板２３に取着した透明な保護板２４と、取付板２３の上端部を基板４２に揺動自在に連結する蝶番２５と、取付板２３の下端部と基板４２との間に設けられて取付板２３の下端部とミラー表面４１ａとの距離を調節する調節ネジ機構２６と、取付板２３の左端部とミラー表面４１ａとの距離を拡大する方向へ取付板２３へ付勢するバネ２７とを備えている。調節ネジ機構２６は、取付板２３の挿通孔２３ａを挿通する雄ネジ部２６ａと、基板４２に連結固定した雌ネジ部２６ｂとを備え、雌ネジ部２６ｂに螺合させた雄ネジ部２６ａを進退させることで、ミラー表面４１ａと面状の発光部４３の発光面Ｓとの交差角度を調節できるようにしてある。なお、角度調節具２２は、図７図（Ｂ）に示すものと同様に、面状の発光部４３の上下両側を個別に前後方向へ移動できるタイプを採用することも可能である。
【００３７】
前記照明装置４０は、使用者（図示略）の位置に応じて、面状の発光部４３の照射方向（前記矢符Ｋ方向）を角度調節具２２で自動調節（すなわち、矢符Ｋ方向とミラー表面４１ａに垂直な垂直線Ｗとの交差角度δを自動調節）して、使用者へ確実に照射できるようにすることもある。この場合、照明装置４０は、図示は省略したが、図８に示す第３の実施の形態と同様に、角度調節具２２に連結した角度調節用アクチュエータ３２と、センターミラー７手前の使用者を検出する使用者検出装置３３と、発光部４３の照射角度（ミラー表面４１ａに垂直な垂直線Ｗと矢符Ｋ方向との交差角度δ）を検出する照射角度検出装置３４と、面状の発光部４３の照射方向（前記矢符Ｋ方向）を使用者検出装置３３の検出した使用者位置へ向くように角度調節用アクチュエータ３２を制御する制御回路３５とを備えることになる。
【符号の説明】
【００３８】
１…本発明ミラーキャビネット、６…キャビネット本体、７…センターミラー、８，９…サイドミラー、８ａ，９ａ…縁近辺、１０…照明装置、１１…ミラー本体、１１ａ…ミラー表面、１１ｂ…透孔部、１１ｃ…銀膜、１２…基板、１３…面状発光部、１４…スペーサ、１５…結合具、１７…発光板、１７ａ…小口面、１８…光源、２２…角度調節具、２３…取付板、２３ａ…挿通孔、２４…保護板、２５…蝶番、２６，２８…調節機構、３２…角度調節用アクチュエータ、３３…使用者検出装置、３４…照射角度検出装置、３５…制御回路、Ｇ…サイドミラー９の中央前方寄りへ向かう方向、Ｈ…使用者、Ｋ…センターミラー７の中央前方寄りへ向かう方向、Ｖ…ミラー表面１１ａの垂直線、Ｗ…ミラー表面４１ａの垂直線、α…ミラー表面１１ａの垂直線Ｖと矢符Ｇ方向の交差角度、δ…ミラー表面４１ａの垂直線Ｗと矢符Ｋ方向の交差角度
【図１】
2011015892.tif 000003
【図２】
2011015892.tif 000004
【図３】
2011015892.tif 000005
【図４】
2011015892.tif 000006
【図５】
2011015892.tif 000007
【図６】
2011015892.tif 000008
【図７】
2011015892.tif 000009
【図８】
2011015892.tif 000010
【図９】
2011015892.tif 000011